(57)【要約】【課題】使い勝手の良好な車両のドアロック制御システムの提供を目的とする。【解決手段】車両の外壁部に配置された接触検知センサ１と、  車両のドアの開閉状態を検出するドア開閉検出センサ２と、  利用者の所持する携帯器３に対する認証成立を条件にドアロック装置４を施錠操作する施錠制御部５とを有し、  前記施錠制御部５は、前記接触検知センサ１による接触検知からドア開閉検出センサ２によるドア閉状態の検出までの間の接触検知センサ１による接触解除検知の有無を施錠操作の条件とする。【選択図】  図２
2015224501.tif 000002
【特許請求の範囲】
【請求項１】
車両の外壁部に配置された接触検知センサと、
車両のドアの開閉状態を検出するドア開閉検出センサと、
利用者の所持する携帯器に対する認証成立を条件にドアロック装置を施錠操作する施錠制御部とを有し、
前記施錠制御部は、前記接触検知センサによる接触検知からドア開閉検出センサによるドア閉状態の検出までの間の接触検知センサによる接触解除検知の有無を施錠操作の条件とする車両のドアロック制御システム。
【請求項２】
前記施錠制御部は、前記接触検知センサによる接触検知からドア開閉検出センサによるドア閉状態の検出までの間の接触検知センサによる接触解除検知を施錠操作の条件とする請求項１記載の車両のドアロック制御システム。
【請求項３】
前記施錠制御部は、ドア開閉検出センサによるドア閉状態への移行検出が、前記接触検知センサによる接触解除検出から所定時間内に行われたことを条件として施錠操作を実行する請求項２記載の車両のドアロック制御システム。
【請求項４】
前記施錠制御部は、ドア閉状態における接触検出を施錠操作の条件とする請求項１、２または３記載の車両のドアロック制御システム。
【請求項５】
前記施錠制御部は、施錠完了後に適宜の施錠完了確認手段に対する動作信号を出力する請求項１から４のいずれかに記載の車両のドアロック制御システム。
【請求項６】
前記接触検知センサがドアハンドル装置に組み込まれる請求項１から５のいずれかに記載の車両のドアロック制御システム。
【発明の詳細な説明】
【技術分野】
【０００１】
本発明は、車両のドアロック制御システムに関するものである。
【背景技術】
【０００２】
電動ロック装置を有する車両のドアロックを制御するための車両のドアロック制御システムとしては、特許文献１に記載のものが知られている。この従来例において、車両外部にはロックスイッチが配置されており、ドアの施錠は、ロックスイッチを押下した後、開扉状態のドアを閉じることにより行われる。
【先行技術文献】
【特許文献】
【０００３】
【特許文献１】特開２０１０-５９６５０号公報
【発明の概要】
【発明が解決しようとする課題】
【０００４】
しかし、上述した従来例において、ドアの施錠に際してロックスイッチへの操作というドア閉塞動作に不要な操作を要するために、使い勝手が悪いという欠点がある。
【０００５】
本発明は、以上の欠点を解消すべくなされたものであって、使い勝手の良好な車両のドアロック制御システムの提供を目的とする。
【課題を解決するための手段】
【０００６】
本発明によれば上記目的は、
車両の外壁部に配置された接触検知センサ１と、
車両のドアの開閉状態を検出するドア開閉検出センサ２と、
利用者の所持する携帯器３に対する認証成立を条件にドアロック装置４を施錠操作する施錠制御部５とを有し、
前記施錠制御部５は、前記接触検知センサ１による接触検知からドア開閉検出センサ２によるドア閉状態の検出までの間の接触検知センサ１による接触解除検知の有無を施錠操作の条件とする車両のドアロック制御システムを提供することにより達成される。
【０００７】
本発明において、ドア表面を含む車両の外壁部には、接触検知センサ１が配置され、開扉状態において接触検知センサ１に触れた後の接触解除操作により施錠操作の有無が決定される。この結果、例えば、接触解除を施錠条件とした場合、接触検知センサ１に触れたままでドアの閉扉操作が行わても施錠操作は行われず、実質的なキャンセル操作が行われたのと同様の効果を発揮させることができ、反対に接触継続を施錠条件とした場合には、ドア閉扉操作中の接触解除がキャンセル操作に相当する。
【０００８】
したがって、本発明において、利用者の一連の閉扉操作において、接触検知センサ１への接触継続、接触解除操作を行うだけで施錠指示、あるいは単なる閉扉操作を選択することが可能になるために、利用者の使い勝手が向上する。
【０００９】
上記目的を達成するための本発明の他の態様として、
前記施錠制御部５は、前記接触検知センサ１による接触検知からドア開閉検出センサ２によるドア閉状態の検出までの間の接触検知センサ１による接触解除検知を施錠操作の条件とする。
【００１０】
上述したように、本発明において、接触検知センサ１に対する接触解除操作によって施錠の有無を判定することによりキャンセル操作が容易になるが、本態様のように、接触解除操作を施錠条件とすると、例えば、掌等により接触検知センサ１を含むドアの領域を閉扉方向に勢いを付けて押し込み、閉扉完了前に手をドアから離すような一般的な一連の閉扉動作により自動的に施錠意思を現すことができるために、使い勝手が向上する。
【００１１】
また、上記目的を達成するための本発明の他の態様として、
前記施錠制御部５は、ドア開閉検出センサ２によるドア閉状態への移行検出が、前記接触検知センサ１による接触解除検出から所定時間内に行われたことを条件として施錠操作を実行する。
【００１２】
本態様において、上述した一連の動作が連続的に行われた場合にのみ施錠動作が行われ、接触検知センサ１による接触解除検出から閉扉状態検出までのしきい時間を通常の操作によりドアが閉まる程度の十分に短い時間に設定しておくと、例えば、接触検知センサ１に触れた後、接触検知センサ１との接触を解除し、この後、他の部位を押し込んで閉扉動作を行った場合には施錠動作が行われない等、閉扉操作自体でのキャンセル操作も可能になる。
【００１３】
さらに、上記目的を達成するための本発明の他の態様として、
前記施錠制御部５は、ドア閉状態における接触検出を施錠操作の条件とする。
【００１４】
本態様において、接触検知センサ１は、ドア閉状態では通常の施錠指示用のスイッチを兼ねるために、追加的なスイッチを設ける必要がなく、通常の施錠操作を行うことが可能になる。
【００１５】
また、上記目的を達成するための本発明の他の態様として、
前記施錠制御部５は、施錠完了後に適宜の施錠完了確認手段６に対する動作信号を出力する。
【００１６】
施錠完了確認手段６としては、ハザードランプ、ブザー等、車両に既設の表示手段を流用することが可能であり、施錠完了をこれら施錠確認手段により利用者に知らせると、動作信頼性を向上させることが可能になる。
【００１７】
さらに、上記目的を達成するための本発明の他の態様として、
前記接触検知センサ１がドアハンドル装置７に組み込まれる。
【００１８】
接触検知センサ１は、車両外壁の適宜箇所に配置することが可能であるが、ドアハンドル装置７に組み込むと、車両のパネルに別途装着部を設ける必要がなくなる上に、車両への装着はドアハンドル装置７の装着により完了するために、組み付け効率も向上する。  
【発明の効果】
【００１９】
本発明によれば、施錠操作に閉扉後の特別な操作を要しないために、使い勝手を向上させることができる。
【図面の簡単な説明】
【００２０】
【図１】本発明の機能ブロック図である。
【図２】本発明の動作を示すフローチャートである。
【発明を実施するための形態】
【００２１】
図１に示すように、ドアロック制御システムは、接触検知センサ１、ドアの開閉を検出するためのドア開閉検出センサ２、施錠完了確認手段６としてのハザードランプ、あるいはブザー、および施錠制御部５を有して構成される。
【００２２】
車両のドアにはドア外壁に取り付けられるドアハンドル装置７と、ドア内に固定されてラッチ部４ａを車体に係止させて閉扉状態を維持するドアロック装置４が配置されており、ドアハンドル装置７を操作することによってラッチ部４ａの係止を解除して開扉操作を行うことができる。また、ドアロック装置４には、ロック部４ｂが設けられており、該ロック部４ｂを本システムにより制御してロック状態とすることにより、ハンドル装置７によるラッチ解除動作を禁止することができる。
【００２３】
接触検知センサ１には静電容量センサが使用される。後述するように、上記施錠制御部５は、接触検知センサ１への接触と、閉扉完了前の接触検知センサ１への接触解除を条件とするために、接触検知センサ１は、利用者が閉扉操作を行う際に容易に接触、接触解除操作を行うことのできる車両外面の位置に配置される。  
【００２４】
本例において、接触検知センサ１は上記ドアハンドル装置７に取り付けられており、ドアハンドル装置７表面の適宜箇所に配置しておくと、掌等でドアを押し付けて閉扉動作を行う際に、接触検知センサ１を含む領域を掌で押し付けた後、閉扉完了前の適宜タイミングで手を離す動作を行うことにより接触、接触解除状態を容易に実現することが可能である。
【００２５】
また、例えば、利用者が人差し指から小指までの４本の指で握って開閉操作する所謂グリップタイプの操作ハンドルを備えたハンドル装置の場合、操作ハンドルを握った状態で親指が当たる位置、あるいは、人差し指から薬指までを掛けて開閉操作する所謂プルアップタイプの操作ハンドルを備えたハンドル装置の場合、指を掛けた状態で親指が当たる位置に接触検知センサ１を設けると、ハンドルに手を掛けたまま閉扉動作を行う際にも、容易に接触検知センサ１に対する接触、接触解除操作を行うことが可能になる。
【００２６】
施錠制御部５は、制御部５ａにより制御されて動作する認証部５ｂ、上記接触検知センサ１からの出力を監視するセンサ出力監視部５ｃ、タイマー５ｄ、ロック駆動部５ｅ、および警報信号出力部５ｆを有する。
【００２７】
認証部５ｂは、利用者の所持する携帯器３から出力される固有のＩＤ情報を予め保管されたＩＤと照合し、一致する場合に認証成立信号を出力するもので、利用者が携帯器３に配置される操作ボタン（図示せず）を操作することにより携帯器３から出力されるＩＤ情報を認証する所謂アクティブ認証動作に加え、認証部５ｂから出力されるＩＤ要求信号を受信した際に携帯器３から自動的に出力されるＩＤ情報を認証する所謂パッシブ認証動作も可能に構成される。
【００２８】
施錠動作時におけるパッシブ認証動作での認証部５ｂからのＩＤ要求信号の出力タイミングは利用者による接触検知センサ１への接触操作がトリガとされ、さらに、本例において、解錠操作時のＩＤ要求信号の発信トリガを得るために、操作ハンドルの手掛け部に別途静電容量センサ（図示せず）が配置される。
【００２９】
センサ出力監視部５ｃは、上記接触検知センサ１、およびドア開閉検出センサ２からの出力を監視して制御部５ａに出力する。接触検知センサ１からの接触検知が検出されて制御部５ａに出力されると、制御部５ａはスマートキーシステムを起動した後、認証部５ｂから携帯器３に向けてＩＤ要求信号を出力して携帯器３からのレスポンス（ＩＤ情報）を待ち受ける。
【００３０】
また、センサ出力監視部５ｃは、接触検知センサ１が該接触検知センサ１への接触解除を検出した際にも制御部５ａへの信号出力が行われ、センサ出力監視部５ｃから接触解除信号を受領した制御部５ａは、タイマー５ｄによる計時を開始する。
【００３１】
ロック駆動部５ｅは、制御部５ａからの施解錠指令信号に基づいてドアロック装置４のドライブ信号を生成し、ロック部４ｂを駆動するアクチュエータに出力する。
【００３２】
警報信号出力部５ｆは、制御部５ａからの警報出力指令に基づいてハザードランプ、あるいはブザー等の施錠完了確認手段６を作動させ、利用者に施錠完了を知らせる。
【００３３】
図２の本システムの動作を示す。まず、システムが起動すると、センサ出力監視部５ｃによる接触検知センサ１の出力監視が開始される（ステップＳ１）。ステップＳ１で接触検知センサ１からの検出信号が検出されると、制御部５ａはスマートキーシステムを駆動した後（ステップＳ２）、認証部５ｂから携帯器３に向けてＩＤ要求信号を送信し、携帯器３から送信されたＩＤ情報を認証する（ステップS３）。
【００３４】
ステップＳ３で認証が成立しなかった場合、スマートキーシステムの駆動を停止した後、接触検知センサ１の監視モードに復帰し、認証が成立した場合には、ドア開閉検出センサ２の出力からドア開閉状態を判定した後（ステップＳ４）、接触検知センサ１の出力の非接触状態への遷移を監視する（ステップＳ５）。
【００３５】
ステップＳ５で接触検知センサ１が接触状態信号を出力している場合、制御部５ａは、ドア開閉検出センサ２の出力から閉扉状態への移行を確認し（ステップＳ５１）、閉扉状態が検出された場合には、接触検知センサ１を触れたまま閉扉操作が完了したものとして、施錠動作を行うことなく制御を終了する。
【００３６】
一方、ステップＳ５で接触状態非検出へ遷移した場合、タイマー５ｄをスタートして（ステップＳ６）、閉扉完了までの時間を計測し、閉扉動作が所定の時間内に行われた否かを判定し（ステップＳ６、Ｓ７、Ｓ８）、所定時間内に閉扉動作が完了しないとき（ステップＳ７）、キャンセルされたものとして施錠動作を行うことなく制御を終了する。
【００３７】
また、ステップＳ７、Ｓ８で所定時間内に閉扉状態が検出された場合、タイマー５ｄによる計時を終了した後（ステップＳ９）、他のドア全てが閉塞しているか否かを確認し（ステップＳ１０）、開扉状態のドアが検出された場合には警報信号を出力した後（ステップＳ１０１）、施錠動作を行うことなく制御を終了する。
【００３８】
これに対し、ステップＳ１０ですべてのドアが閉扉状態であると判定された場合には、所定時間経過後（ステップＳ１１、Ｓ１２）ロック駆動部５ｅに施錠信号を出力して施錠動作を行い（ステップＳ１３）、次いで、警報信号出力部５ｆに施錠完了信号を出力してハザードランプの点滅等により利用者に施錠完了を知らせ（ステップＳ１５）、制御を終了する。
【００３９】
また、本例において、接触検知センサ１は通常の施錠操作スイッチとしても利用可能であり、携帯器３に対する認証成立後、ステップＳ４で閉扉状態が確認された場合には、通常の施錠操作スイッチとしての操作として、ステップＳ１０以下の動作が行われる。
【符号の説明】
【００４０】
１        接触検知センサ
２        ドア開閉検出センサ
３        携帯器
４        ドアロック装置
５        施錠制御部
６        施錠完了確認手段
７        ドアハンドル装置
【図１】
2015224501.tif 000003
【図２】
2015224501.tif 000004